(57)【要約】【課題】コンパクトに折り畳んで２トントラックで被災地等へ運搬し、被災地等での電源確保に貢献する太陽光発電装置を提供する。【解決手段】太陽光で発電し得る発電モジュール２を備えたモジュールフレーム３，３，３を開閉用ダンパー１１，１１により折り畳み可能に構成し、太陽光発電装置全体は、２トントラックに積載して運搬できる寸法，重量に設定され、コンパクトに折り畳んで２トントラックで被災地等へ運搬し、被災地等での電源確保が可能となる。【選択図】図１
0003195325.tif 000002
【実用新案登録請求の範囲】
【請求項１】
太陽光で発電し得る発電モジュールを備えたモジュールフレームを、開閉手段により折り畳み可能に構成し、
全体を２トントラックに積載して運搬できる寸法，重量に設定した
ことを特徴とする太陽光発電装置。
【請求項２】
前記モジュールフレームが複数枚で構成され、
前記開閉手段を、固定側のモジュールフレームと可動側のモジュールフレームを連結するダンパーで構成し、
該ダンパーを介し手動で前記可動側のモジュールフレームを折り畳めるように構成した
ことを特徴とする請求項１に記載の太陽光発電装置。
【請求項３】
前記モジュールフレームを水平面内で回転させる旋回駆動部と、
前記モジュールフレームの垂直面に対する傾きを調整できる傾動駆動部を備えている
ことを特徴とする請求項１または請求項２に記載の太陽光発電装置。
【請求項４】
電力を供給できるバッテリーが内蔵されている
ことを特徴とする請求項１または請求項２または請求項３に記載の太陽光発電装置。
【請求項５】
底ベースから水平方向へ延出される折り畳み可能な転倒防止用脚部を備えている
ことを特徴とする請求項１乃至請求項４何れかに記載の太陽光発電装置。
【考案の詳細な説明】
【技術分野】
【０００１】
本考案は、太陽光で発電し得る発電モジュールを備えた太陽光発電装置に関するものである。
【背景技術】
【０００２】
従来、特許文献１に開示されているような追尾式太陽光発電装置が存在している。
【先行技術文献】
【特許文献】
【０００３】
【特許文献１】特開２０１１−２９４８７号公報
【考案の概要】
【考案が解決しようとする課題】
【０００４】
上記特許文献１に開示されている太陽光発電装置は、大型であるため、風荷重や地震等に耐えるために強固な基礎が必要となり、強固な基礎を設けて架台を固定する土木工事が必要であり、計画から稼働までに時間がかかり、また、設置した場所でしか電力は得られないという問題点があった。
【課題を解決するための手段】
【０００５】
本考案は、基礎工事等が不要で、素早く設置することができ、また、コンパクト化して２トントラックで容易に被災地等へ搬送することができる太陽光発電装置の提供を目的とし、この目的の少なくとも一部を達成するために以下の手段を採った。
本考案の太陽光発電装置は、太陽光で発電し得る発電モジュールを備えたモジュールフレームを、開閉手段により折り畳み可能に構成し、全体を２トントラックに積載して運搬できる寸法，重量に設定したことを要旨とする。
【考案の効果】
【０００６】
折り畳んでコンパクトな形態にして２トントラックで被災地等へ容易に運搬することができ、目的地ではモジュールフレームを開けて直ちに発電することができ、被災地等における電源確保が極めて容易なものとなる。
【０００７】
また、本考案の太陽光発電装置において、前記モジュールフレームが複数枚で構成され、前記開閉手段を、固定側のモジュールフレームと可動側のモジュールフレームを連結するダンパーで構成し、該ダンパーを介し手動で前記可動側のモジュールフレームを折り畳めるように構成することもできる。
こうすれば、手動でダンパーを介しモジュールフレームを折り畳んでコンパクトにしてトラックに積み込んで運搬することが可能となる。
【０００８】
また、本考案の太陽光発電装置において、前記モジュールフレームを水平面内で回転させる旋回駆動部と、前記モジュールフレームの垂直面に対する傾きを調整できる傾動駆動部を備えているものとすることもできる。
こうすれば、モジュールフレームの位置を調節し、太陽を追尾して、高い発電量を得ることができるものとなる。
【０００９】
また、本考案の太陽光発電装置において、電力を供給できるバッテリーが内蔵されているものとすることもできる。
こうすれば、バッテリーから電力を供給し、設置した場所で直ぐに太陽光発電装置により発電を開始することができ、また、発電した電力をバッテリーに充電することができるものとなる。
【００１０】
また、本考案の太陽光発電装置において、底ベースから水平方向へ延出される折り畳み可能な転倒防止用脚部を備えているものとすることができる。
こうすれば、底ベースから転倒防止用脚部を水平方向へ延出させて、目的地で素早く設置することができ、基礎工事等を行なうことなく容易に太陽光発電装置を立設できるものとなる。
【図面の簡単な説明】
【００１１】
【図１】追尾型太陽光発電装置の展開状態の正面構成図である。
【図２】追尾型太陽光発電装置の展開状態の右側面図である。
【図３】追尾型太陽光発電装置の折り畳んだ運搬状態の正面構成図である。
【図４】追尾型太陽光発電装置の折り畳んだ運搬状態の右側面図である。
【図５】底ベースから延出される転倒防止用脚部の平面構成図である。
【考案を実施するための形態】
【００１２】
次に、本考案を実施するための形態を実施例を用いて説明する。
図１は、追尾型太陽光発電装置の展開状態の正面図であり、図２は、展開状態の右側面図である。また、図３は、折り畳んだ運搬状態の正面図であり、図４は、運搬状態の右側面図である。
【００１３】
追尾型太陽光発電装置１は、上面に太陽光発電モジュール２を取り付けたモジュールフレーム３が６枚設けられている。
即ち、図１の正面図で示すように、横方向に３枚のモジュールフレーム３，３，３が配置されており、図２に示すように、奥行方向は２枚のモジュールフレーム３，３で構成されている。
モジュールフレーム３の下方側には、モジュールフレーム３の垂直面に対する傾きを調整できる傾動駆動部５が設けられており、さらに、その下方には水平面内で回転させることのできる旋回駆動部４が設けられている。
【００１４】
この追尾型太陽光発電装置１は、底側の底ベース６から円柱状の支柱７が立設されており、この支柱７の上端に旋回駆動部４と傾動駆動部５が設けられ、さらに、その上方に６枚のモジュールフレーム３が配置されたものであり、図１の展開状態での幅寸法ａは、例えば３．２ｍ程度に設定されており、図２の奥行寸法ｂは、例えば２．１ｍ程度に設定されている。
また、図３に示す運搬状態では、幅寸法ｃが、例えば１．５６ｍ程度となるように設定されている。また、高さ寸法ｄは、例えば２．６ｍ程度に設定されている。
また、図２に示すように、モジュールフレーム３を傾動させて立ち上げ状態とした時の最上端から底側までの最大高さｅは、例えば３．２ｍ程度に設定されている。また、底ベース６の短尺寸法ｆは、例えば０．８５ｍに設定されており、底ベース６の長尺寸法ｇは、例えば１．８ｍに設定されている。
【００１５】
このようにコンパクトな寸法に設定されており、全体の重さは７００ｋｇ未満であり、発電出力は１．６８ｋｗ程度に設定されており、通常は倉庫内等で保管し、有事の際に、必要な被災地等へ２トントラックで容易に運搬して、被災地で直ぐ発電が行なえるように設計されている。
即ち、被災地等での電源確保を早急に行なう必要があるような場合に、２トントラックに積載して目的地へ搬送し、直ぐに目的地で立ち上げて発電を行なえるものである。
【００１６】
２トントラックで運搬する際には、図３および図４のように折り畳んだ状態として運搬し、目的地に到着した際には、図５の平面図で示すように、底ベース６に当接状態で折り畳まれている、高さ調節ボルト１７を有する４本の転倒防止用脚部１６を、それぞれピン１８を介して手動で四方へ延出させて、転倒を防止した状態で追尾型太陽光発電装置１を立設させることができ、さらに手動で、図３の状態から図１の状態となるように、中央のモジュールフレーム３に対し両側のモジュールフレーム３，３を開けて水平な状態として、即、発電を行なうことができるものである。
【００１７】
なお、底ベース６上には着脱可能にカバー８が設けられており、カバー８内にはマイクロコンピュータ式の制御盤９とバッテリー１０が内蔵されており、このバッテリー１０からの電力で、直ぐに現場で立ち上げて発電が可能となる。
【００１８】
以下、構成部材を更に詳しく説明する。
太陽光発電モジュール２は、上面に複数枚の集光レンズが設けられ、各集光レンズの下に発電セルが設けられた形式のものである。
図１における中央の固定のモジュールフレーム３に対し左右側のモジュールフレーム３，３は、それぞれ蝶番軸３ａで折り畳み可能に連結されており、中央のモジュールフレーム３から垂設された固定フレーム１２の下端と左右側の可動するモジュールフレーム３間には、斜め方向に油圧またはガス式の開閉用ダンパー１１が設けられて連結されている。
開閉用ダンパー１１は、奥行方向にも設けられて、全部で４本の開閉用ダンパー１１により左右の可動式のモジュールフレーム３を手動で図３のように折り畳めるように構成されている。
【００１９】
支柱７の上端に設けられている旋回駆動部４は、旋回用インバータモータ４ａと回転位置を検出するエンコーダー４ｂを備えており、旋回インバータモータ４ａの回転力がウォームギヤで伝動され、モジュールフレーム３側は、例えば水平面内で＋−１２０度の旋回角度範囲での旋回が可能である。
また、その上方の傾動駆動部５は、傾動用インバータモータ５ａとエンコーダー５ｂを備えており、傾動用インバータモータ５ａの回転がギヤボックス１５内のギヤを介して傾動用軸１４に伝動され、この傾動用軸１４に垂直フレーム１３を介して連結されている中央の固定のモジュールフレーム３が、図２のように垂直面に対して傾き調整されるものである。
【００２０】
即ち、夏場等においては、モジュールフレーム３を水平状態にし、冬場とか待機時等には図２のように、モジュールフレーム３をほぼ垂直に近い状態にして使用することができ、制御盤９からの信号により旋回用インバータモータ４ａおよび傾動用インバータモータ５ａが適宜駆動されて太陽を追尾して太陽光を最も受けやすいモジュールフレーム３の配置状態に制御されるものである。
例えば、制御盤９内には１年に亘る太陽軌跡のデーターを格納しておき、これに対応して最適位置にモジュールフレーム３を追尾させることができるものである。
【００２１】
また、バッテリー１０は、リチウムイオン電池で構成されており、例えば５ｋｗｈ程度のものであり、最初はフル充電した状態で現地へ搬送されるものであるため、現地で直ぐに、このバッテリー１０からの電力でモータ４ａ，５ａ等を駆動させることができるものである。また、太陽光で発電した電力で、このバッテリー１０を充電させることもできるものである。
【００２２】
なお、本例では、モジュールフレーム３は６枚構成のものとしており、１枚のモジュールフレーム３は一辺が１ｍの正方形状のものとしているが、このモジュールフレーム３の寸法や数は変更できるものであり、また、例えば図１における左右側のモジュールフレーム３，３から、それぞれ別の太陽光発電モジュール２を備えたモジュールフレーム３を水平方向へ引き出して、太陽光発電モジュール２の面積を広げることができるような構造のものであっても良い。
【符号の説明】
【００２３】
１  追尾型太陽光発電装置
２  太陽光発電モジュール
３  モジュールフレーム
４  旋回駆動部
４ａ  旋回用インバータモータ
４ｂ  エンコーダー
５  傾動駆動部
５ａ  傾動用インバータモータ
５ｂ  エンコーダー
６  底ベース
７  支柱
８  カバー
９  制御盤
１０  バッテリー
１１  開閉用ダンパー
１２  固定フレーム
１４  傾動用軸
１５  ギヤボックス
１６  転倒防止用脚部
１７  高さ調節ボルト
１８  ピン
【図１】
0003195325.tif 000003
【図２】
0003195325.tif 000004
【図３】
0003195325.tif 000005
【図４】
0003195325.tif 000006
【図５】
0003195325.tif 000007